(57)【要約】【課題】携帯でき、外出先や車内でスムーズにオムツ交換ができるオムツ入れを提供する。【解決手段】折りたたみ可能な本体に、少なくとも左右一方が開口しているオムツ保持部を設け、本体折りたたみ時に使用する留部が直状から輪状に変形操作可能に構成され、本体に未使用のオムツを保持する仮保持部を設けたことを特徴とする。【選択図】  図１
2004313671.tif 000002
【特許請求の範囲】
【請求項１】
折りたたみ可能な本体に、オムツ保持部を設け、留部を設けたことを特徴とするオムツ入れ。
【請求項２】
オムツ保持部の少なくとも左右一方が開口していることをことを特徴とする請求項１記載のオムツ入れ。
【請求項３】
オムツ保持部を、本体の折りたたみを可能にする様任意の各折り目間に設けたことを特徴とする請求項１あるいは請求項２記載のオムツ入れ。
【請求項４】
留部が直状から輪状に変形操作可能に構成されていることを特徴とする請求項１あるいは請求項２あるいは請求項３記載のオムツ入れ。
【請求項５】
本体に装着前のオムツを一時的に保持する仮保持部を設けたことを特徴とする請求項１あるいは請求項２あるいは請求項３あるいは請求項４記載のオムツ入れ。
【請求項６】
留部が、本体への係止と、任意の箇所への吊り下げとの両用可能に構成されていることを特徴とする請求項１あるいは請求項２あるいは請求項３あるいは請求項４あるいは請求項５記載のオムツ入れ。
【発明の詳細な説明】
【０００１】
【発明の属する技術分野】
本発明は乳幼児に使用するオムツを入れるオムツ入れに関するものである。
【０００２】
【従来の技術】
従来のオムツ入れは２０〜５０枚のオムツが入り子供用ベットのベット側面にとりつけて自宅での乳幼児のオムツを交換する際のオムツ入れとして使用するものであり、小量の枚数を携帯できるものはなかった。
【０００３】
【特許文献１】
特開２００２−１５３３９４号  公報
【０００４】
【発明が解決しようとする課題】
これは次のような欠点があった。
（イ）従来のオムツ入れは２０〜５０枚のオムツを入れるものはあるが小量の枚数を携帯できるものはなかった。
（ロ）従来のオムツ携帯はビニール袋や簡易布製袋等、各自で工夫をして数枚を携帯していた。
また、外出等のオムツを携帯する時には、オムツの他に飲み物やスナック菓子等も同じ鞄に入れてしまうことが多いので、飲み物やスナック菓子が鞄の中でこぼれてしまうと、オムツも同時によごれてしまうこともあった。
（ハ）車内のシート上や外出先等の限られた場所でのオムツ交換では交換するオムツの置き場所にも困った。
（ニ）オムツ交換する際に、乳幼児が動くのでスムーズなオムツ交換ができない時もある。
本発明はこれらの欠点をのぞくためになされたものである。
【０００５】
【課題を解決するための手段】
折りたたみ可能な本体に、オムツ保持部を設け、留部を設ける。
オムツ保持部の少なくとも左右一方が開口する。
オムツ保持部が、本体の折りたたみを可能にする様任意の各折り目間に配置する。
留部が直状から輪状に変形操作可能に構成する。
本体に未使用のオムツを保持する仮保持部を設ける。
【０００６】
【発明の実施の形態】
図１に基づき各部について詳細に説明する。
オムツ入れ本体の素材はオムツ入れをたたんだままでも未使用のオムツを取り出しやすくするため滑り性のよい生地等にするとよい。また、携帯時に鞄の中にオムツ入れと一緒に飲み物やスナック菓子等もいれる可能性があり、防水性のある生地を重ねて縫着することで内側と外側の防水効果がたかまる。
また、オムツ入れ本体の形状は帯状あるいは縦長状あるいはオムツを数個携帯できる任意の形状に裁断し、生地を重ねて縫着し、折りたたみ可能な本体（９）内側に未使用のオムツを保持するためのオムツ保持部（８）を設ける。
【０００７】
オムツ保持部（８）は、オムツ入れを折り畳んだままでも未使用のオムツを取り出しやすくするため左右両側もしくは片側を開口し、オムツの任意の幅分を確保し、上下を縫着されている。
オムツ保持部（８）は、未使用のオムツを取り出しやすくするため、帯状、ゴム状、あるいはヒモ状、あるいは布状などオムツを保持できるものであればどの様な材質と形状でもかまわない。
また、オムツ保持部の配列は、オムツ入れの携帯時に本体を折りたたみ可能にするため、任意の折り目を邪魔しない様に配置する。
【０００８】
オムツ入れの留部（３）は、オムツ入れ上部等、オムツ入れ本体を留め、かつ、留部を輪状にして吊り下げることができる場所ならいずれの場所でもかまわない。
オムツ入れの留部（３）の材質は、直状から輪状にしやすくするためバイアステープや布ベルトなどの布製、あるいは柔軟性のあるプラスチック製、あるいはゴム製などオムツ入れ本体を留められるものでかつ、留部（３）を輪状に形成することができるものであればどのようなものでもかまわない。
また、留部（３）には、オムツ入れ本体を折りたたんだ状態で留めるため、また任意の場所に吊り下げるため、留部（３）を輪状にして留めるため、面ファスナー、スナップ、ボタン等を用いるなど、どのような態様でもかまわない。
【０００９】
図３に示す様にオムツ入れを開け、未使用のオムツを広げて保持する仮保持部（５）は、オムツ入れを広げて吊るした時に、当該未使用のオムツが床面や不潔な場所につかない様、オムツ入れの上部等に設けるとよい。
仮保持部（５）の材質は、オムツ交換時に広げた未使用のオムツを下に引きやすくするために滑り性のある材質、布製あるいは柔軟性のあるプラスチック製、あるいはゴム製など、オムツを仮保持でき、かつ滑り性のあるものであればどのような材質でもかまわない。
仮保持部（５）の形状は、オムツ交換時に広げた未使用のオムツを保持するためにヒモ状や洗濯バサミなどのはさむ機能を有するもの、かつオムツを下に引きやすくするものであればどのよな形状でもかまわない。
また、仮保持部（５）を使用しないときは収納部（１０）に収納しておくと、折り畳んだ時や携帯時、子供にオムツ入れのキャラクターをおもちゃとして与える時に邪魔にならない。
【００１０】
図３に示す様にオムツ入れにポケット等の収納部（１０）を設ける。
収納部（１０）にはオムツ以外のものを収納しておける。
オムツ交換時には使用後のオムツを入れるビニール袋やおしりふき等も必要となるのでオムツ入れにオムツ以外の収納部があると外出時にオムツと一緒に携帯できる。
収納部（１０）の材質はオムツ入れと同じ素材、色でオムツ入れに形成し、縫着するとめだたなくかさばらない。
収納部の開口部は収納物を取り出しやすくするため幅を広くし、オムツ入れの横幅と同じ寸法の伸縮自在の素材、たとえばゴムを中に通しオムツ入れに縫着すると開口部がギャザー状になるのでめだたなくかさばらない。
収納部（１０）の取り付け場所はオムツ入れの上部あるいは未使用のオムツの取り出しが困難にならない場所ならどのような場所でもかまわない。
【００１１】
図７で示す様にオムツ交換時に子供がいやがったり動き回ったりと、スムーズにオムツ交換ができないときには、オムツ入れについているキャラクターを子供に与え、子供の気を紛らし、その間にオムツ交換をすることもできる。
また、外出時や車内でも子供が退屈しだし、ぐずりだした時など、オムツ交換時ではなくてもオムツ入れのキャラクターで子供の気を紛らわすことができる。
キャラクターは動物、花、人形、乗り物あるいは子供が好むものならばどのようなものでもかまわない。
【００１２】
以下、本発明の使用例について説明する。
（イ）オムツを保持するためのオムツ保持部（８）にオムツを保持させ、本体を折り畳んで留部（３）を止めると、図（１０）に示す様にオムツ入れが携帯できる大きさになる。
（ロ）図６で示す様に例えば車内でオムツ交換をする際は、折り畳んであるオムツ入れを広げ、シートのヘッドレストもしくはドアの上部にあるアシストグリップに、面ファスナーＡ（１）と面ファスナーＢ（２）をあわせ留部（３）を輪状にして本体を吊り下げる。
オムツをオムツ保持部（８）からスライドして取り出し広げて、オムツ端部を仮保持部（５）に挟む。このときオシリフキも必要な枚数を取り出し、オムツ入れ下方の多目的係止部（６）に係止する。その後、通常のオムツ交換を行い、オムツ交換が終わったら再びオムツ入れを携帯できる大きさに折り畳む。
（ハ）外出先のオムツ替えシートでのオムツ交換時には、子供をオムツ替えシートに寝かせ、シートについている保護ベルトを子供に巻いた後、折り畳んであるオムツ入れを広げ、留部（３）の面ファスナーＡ（１）と面ファスナーＢ（２）をあわせ、留部（３）を輪状にして保護ベルトに本体を吊り下げる。
その後は、上記車内の例と同様である。
（ハ）図７で示す様に外出時もしくは室内でのオムツ交換時に、子供が動きまわろうと愚図った時は、オムツ入れを折り畳み、オムツ入れ表側のキャラクター（７）を子供に見せて遊ばせることもできる。
【００１３】
【発明の効果】
【００１４】
本発明のオムツ保持部（８）に複数の未使用のオムツを保持でき、なおかつ折りたたみ可能な本体になっているので、コンパクトで外出時に携帯しやすい。
【００１５】
オムツ入れの素材は滑り性のよい生地等にすることで、オムツ入れをたたんだままでも未使用のオムツを取り出しやすい。また、防水性のある生地を重ねて縫着することで内側と外側の防水効果がたかまるので、オムツ入れが入っている鞄のなかで飲み物やスナック菓子がこぼれてもオムツ入れやオムツ入れの中に入っている未使用のオムツも同時によごれてしまうことがない。
【００１６】
車内や外出先等限られたスペースでのオムツを交換する際は、交換する未使用のオムツの置き場所にも困惑していたが、オムツ入れの留部（３）を直状から輪状にできるので、車内ではシートのヘッドレストもしくはドア上部のグリップ、外出先でのオムツ替えシートでは保護のベルトにオムツ入れ本体を吊り下げることができ、仮保持部（５）に未使用のオムツをスペースをとらずに準備しておくことができる。
【００１７】
オムツ入れに子供が好むキャラクターを施すことで、子供がオムツ交換をいやがったり動き回ったりしてうまくオムツ交換ができない時は、オムツ入れのキャラクターで子供が気を紛らわしている間にスムーズにオムツ交換をすることができる。
【図面の簡単な説明】
【図１】本発明の展開した状態を示す背面図である。
【図２】本発明の展開した状態を示す正面図である。
【図３】本発明の携帯時の斜視図である。
【図４】本発明の携帯時の背面図である。
【図５】本発明の車内での実施例を示す図である。
【図６】本発明の車内での実施例を示す図である。
【図７】本発明の正面図である。
【図８】本発明の背面図である。
【図９】本発明の斜視図である。
【図１０】本発明の背面図である。
【符号の説明】
１  面ファスナーＡ
２  面ファスナーＢ
３  留部
４  未使用のオムツ
５  仮保持部
６  多目的保持部
７  キャラクター
８  オムツ保持部
９  本体
１０  収納部
１１  座席（シート）
１２  車窓
１３  係止部
【図１】
2004313671.tif 000003
【図２】
2004313671.tif 000004
【図３】
2004313671.tif 000005
【図４】
2004313671.tif 000006
【図５】
2004313671.tif 000007
【図６】
2004313671.tif 000008
【図７】
2004313671.tif 000009
【図８】
2004313671.tif 000010
【図９】
2004313671.tif 000011
【図１０】
2004313671.tif 000012